(57)【要約】      （修正有）【課題】構成部材や組立の手間を増やすことなく、従来の光ピックアップに比べ、小型化及び性能向上できる光ピックアップを提供する。【解決手段】レーザ光を出射する光源１，２と、光源１，２からのレーザ光を集光する対物レンズ７１、７２と、光ディスクで反射された戻りレーザ光を受光し電気信号に変換する受光素子ＰＤとを備え、戻りレーザ光のみが通過する光路上に配置される光学素子８１にホログラムが形成されていることを特徴とする光ピックアップＡ。【選択図】図４
2012113791.tif 000002
【特許請求の範囲】
【請求項１】
レーザ光を出射する光源と、
前記光源からのレーザ光を集光する対物レンズと、
前記光ディスクで反射された戻りレーザ光を受光し電気信号に変換する受光素子とを備え、前記光ディスクに前記対物レンズで集光したレーザ光を照射し、情報の再生、記録を行う光ピックアップであって、
前記戻りレーザ光のみが通過する光路上に配置される光学素子に、前記戻りレーザ光が通過するようにホログラムが形成されていることを特徴とする光ピックアップ。
【請求項２】
前記戻りレーザ光のみが通過する光路には、前記戻りレーザ光に収差を付与するセンサレンズが配置されており、
前記ホログラムが前記センサレンズに形成されている請求項１に記載の光ピックアップ。
【請求項３】
前記センサレンズは、前記受光素子側にシリンドリカルレンズ状の曲面であるシリンドリカルレンズ部と、前記シリンドリカルレンズ部と反対側の面にホログラムが形成されたホログラム部とを含むレンズ体を備えている請求項２に記載の光ピックアップ。
【請求項４】
前記センサレンズは、前記戻りレーザ光が通過する筒状の光路孔を含むベース部を備えており、
前記レンズ体が前記光路孔の内部に、前記光路孔を塞ぐように前記ベース部と一体に形成されている請求項３に記載の光ピックアップ。
【請求項５】
前記光ピックアップのシャーシには、前記溝部を通過する前記戻りレーザ光の光軸と直交する面である押え面を備えており、
前記ベース部は前記押え面と接触させたとき、前記光路孔の中心軸が前記戻りレーザ光の光軸と重なる又は平行となるように形成された基準面を備えている請求項４に記載の光ピックアップ。
【請求項６】
前記光ピックアップのシャーシには、前記押え面と直交し、前記戻りレーザ光が通過する溝部を備えており、
前記センサレンズは、前記ベース部の前記基準面より突出し前記基準面を前記押え部に接触させたとき、前記溝部に配置される凸部を備えており、
前記光路孔が前記ベース部及び前記凸部にわたって形成されている請求項５に記載の光ピックアップ。
【請求項７】
前記光源より出射されたレーザ光の一部が反射され、残りが通過するハーフミラーを備えており、
前記ハーフミラーを通過した戻りレーザ光が前記光学素子に照射される構成となっており、
前記ハーフミラーは直方体形状の光学素子であって、前記ハーフミラーの前記受光素子側の面に前記ホログラムが形成されている請求項１に記載の光ピックアップ。
【発明の詳細な説明】
【技術分野】
【０００１】
本発明は、光ディスクの情報を読み取るための光ピックアップに関し、特に光源の出力を監視するモニタ用の受光素子を備えた光ピックアップに関する。
【背景技術】
【０００２】
光ピックアップ装置において、ＤＰＰ法のように光ディスクに照射されるレーザ光を３つのビームに分光する場合、光源からのレーザ光の光量が分散されているので、１ビームのレーザ光の場合に比べて前記光源から出射されるレーザ光の光量を多くする必要があり、多くのエネルギが必要となる。
【０００３】
そこで、前記光ディスクに照射されるレーザ光のスポットは１個で、前記光ディスクで反射された戻りレーザ光からトラッキングエラー信号を検出するための光学系を備えた光ピックアップが登場している。このような光ピックアップでは、光ディスクからの戻りレーザ光のみが通過する光路上にホログラムを配置することで、戻りレーザ光を分光する光学系を形成する方法が取られている。前記光ピックアップでは、このホログラムによって戻りレーザ光を分光し、トラッキングエラー信号を検出している（特開２００２―１７５６４０号公報）。
【０００４】
また、光ディスク装置では、ＣＤ、ＤＶＤ及びＢＤの記録又は再生を行うことができるマルチディスク対応の光ディスク装置が多くなってきている。前記光ディスク装置には、ＣＤの記録／再生を行う赤外レーザ光（波長約７８０ｎｍ）、ＤＶＤの記録／再生を行う赤色レーザ光（波長約６５０ｎｍ）及びＢＤの記録／再生を行う青色レーザ光（波長約４０５ｎｍ）の３種類の波長のレーザ光を照射できる光ピックアップが採用されているものが多い。前記光ピックアップでは、ＤＶＤ、ＣＤは共通の対物レンズを用いて情報の記録／再生が可能であることは良く知られている。ＢＤとＤＶＤ、ＣＤとでは、対物レンズの開口数が大きく異なるため、共通化することが非常に困難である。そこで、前記マルチディスク対応の光ピックアップでは、光路の一部を共通化し、ＢＤ用の対物レンズとＤＶＤ、ＣＤ用の対物レンズをそれぞれ個別に備えている。
【０００５】
前記光ピックアップは高速化及び動作時の消費電力の低下のため、小型、軽量であることが望まれている。そこで、前記光ピックアップは、前記対物レンズを前記光ディスクの径方向（ラジアル方向）に並べたものよりも、構成部材が少なく、小型化、軽量化が可能なタンジェンシャル方向に並べたものが採用されている。しかしながら、前記２個の対物レンズをタンジェンシャル方向に並べた光ピックアップの場合、前記光ピックアップが前記光ディスクのラジアル方向に移動することから、少なくとも一方の対物レンズの軌跡は、光ディスクの半径からずれてしまう。このように、光ディスクの半径からずれてしまうレンズでは、従来のＤＰＰ法でトラッキングエラー信号を検出するのが困難であり、上述したような戻りレーザ光のみが通過する光路上にホログラムを配置し、前記戻りレーザ光からフォーカスエラー信号を検出する方法が採用されている。
【先行技術文献】
【特許文献】
【０００６】
【特許文献１】特開２００２―１７５６４０号公報
【発明の概要】
【発明が解決しようとする課題】
【０００７】
しかしながら、特開２００２―１７５６４０号公報に記載の光ピックアップのように、戻りレーザ光の光路上に前記ホログラムを置く場合、前記ホログラムの位置決めを行い、固定するための部材が必要であるとともに、これらの部材を組み付けるための作業が必要になる。また、前記光ピックアップは、前記ホログラム、位置決め／固定部材等を備えるため、部品点数が多くなり、重量が重くなるとともに、製造コストも多くなる。
【０００８】
また、戻りレーザ光の光路上に前記ホログラムを置く場合、前記ホログラムを配置するためのスペースが必要であり、前記光ピックアップが大型化したり、他の光学素子の配置の自由度が下がったりし、重量増加、性能低下の要因になる場合がある。
【０００９】
そこで本発明は、構成部材や組立の手間を増やすことなく、従来の光ピックアップに比べ、小型化及び性能向上できる光ピックアップを提供することを目的とする。
【課題を解決するための手段】
【００１０】
上記目的を達成するために本発明は、レーザ光を出射する光源と、前記光源からのレーザ光を集光する対物レンズと、前記光ディスクで反射された戻りレーザ光を受光し電気信号に変換する受光素子とを備え、前記光ディスクに前記対物レンズで集光したレーザ光を照射し、情報の再生、記録を行う光ピックアップであって、前記戻りレーザ光のみが通過する光路上に配置される光学素子にホログラムが形成されている。
【００１１】
この構成によると、前記ホログラムを別途取り付けなくてもよく、前記ホログラムを配置するためのスペースを省略することができ、それだけ、光ピックアップを小型化、軽量化することができる。また、前記ホログラムと前記光学素子とが一体に形成されるので、前記光学素子と前記ホログラムとの位置決めが不要である。このことから、前記光学素子を前記戻りレーザ光に対して位置決めするだけで前記ホログラムの位置決めも可能であり、位置決めのための部材、固定のための部材が不要となる。このため、構成部材を減らすことができ、このことからも、光ピックアップを小型化、軽量化することができる。
【００１２】
上記構成において、前記戻りレーザ光のみが通過する光路に、前記戻りレーザ光に収差を付与するセンサレンズが配置されており、前記ホログラムが前記センサレンズに形成されている。
【００１３】
上記構成において、前記センサレンズは、前記受光素子側にシリンドリカルレンズ状の曲面であるシリンドリカルレンズ部と、前記シリンドリカルレンズ部と反対側の面にホログラムが形成されたホログラム部とを備えたレンズ体を有している。
【００１４】
上記構成において、前記センサレンズは、前記戻りレーザ光が通過する筒状の光路孔を含むベース部を備えており、前記レンズ体が前記光路孔の内部に、前記光路孔を塞ぐように前記ベース部と一体に形成されている。
【００１５】
上記構成において、前記光ピックアップのシャーシには、前記溝部を通過する前記戻りレーザ光の光軸と直交する面である押え面を備えており、前記ベース部は前記押え面と接触させたとき、前記光路孔の中心軸が前記戻りレーザ光の光軸と重なる又は平行となるように形成された基準面を備えている。
【００１６】
上記構成において、前記光ピックアップのシャーシには、前記押え面と直交し、前記戻りレーザ光が通過する溝部を備えており、前記センサレンズは、前記ベース部の前記基準面より突出し前記基準面を前記押え部に接触させたとき、前記溝部に配置される凸部を備えており、前記光路孔が前記ベース部及び前記凸部にわたって形成されている。
【００１７】
上記構成において、前記光源より出射されたレーザ光の一部が反射され、残りが通過するハーフミラーを備えており、前記ハーフミラーを通過した戻りレーザ光が前記光学素子に照射される構成となっており、前記ハーフミラーは直方体形状の光学素子であって、前記ハーフミラーの前記受光素子側の面に前記ホログラムが形成されている。
【発明の効果】
【００１８】
本発明によると、構成部材や組立の手間を増やすことなく、省スペース化及び性能向上することが可能な光ピックアップを提供することができる。
【図面の簡単な説明】
【００１９】
【図１】本発明にかかる光ピックアップを上から見た斜視図である。
【図２】同じく光ピックアップを下から見た斜視図である。
【図３】図２に示す光ピックアップからメイン基板を取り外した状態の斜視図である。
【図４】本発明にかかる光ピックアップに備えられる光学素子の配置を示す図である。
【図５】センサレンズを受光素子側から見た図である。
【図６】シャーシのセンサレンズ取付部をセンサレンズとともに切断したときの拡大断面図である。
【発明を実施するための形態】
【００２０】
以下に本発明の実施形態を図面を参照して説明する。図１は本発明にかかる光ピックアップを上から見た斜視図であり、図２は同じく光ピックアップを下から見た斜視図であり、図３は図２に示す光ピックアップからメイン基板を取り外した状態の斜視図であり、図４は本発明にかかる光ピックアップに備えられる光学素子の配置を示す図である。以下の説明において、光ディスクに接近する方向をディスク方向とする。また、光ディスクの周方向をタンジェンシャル方向（ｔａｎ方向）、径方向をラジアル方向（ｒａｄ方向）と記す。
【００２１】
図１、図２に示すように、光ピックアップＡは、上述した各光学素子が取り付けられたシャーシ１１と、シャーシ１１の下面（光ディスクと反対側の面）に取り付けられたメイン基板１２とを備えている。メイン基板１２は、２箇所にねじ止め用の貫通孔１２１を備えている。ねじが貫通孔１２１を貫通し、シャーシ１１に形成されているねじ穴１１１（図３参照）に螺合することで、メイン基板１２はシャーシ１１に固定される。また、光ピックアップＡはラジアル方向に延伸しタンジェンシャル方向に平行に並んだ軸に摺動可能に支持されている。シャーシ１１のタンジェンシャル方向の両方の端部には、一方の軸が摺動可能に貫通される軸貫通孔１１２と、他方の軸が摺動可能に係合する係合凹部１１３とを備えている。
【００２２】
図３に示しているように、上述の光学素子はシャーシ１１の下面に開口した凹部に配置されている。そして、その開口を覆うようにメイン基板１２が取り付け固定されている（図２参照）。メイン基板１２を取り付けることで、シャーシ１１とメイン基板１２とで密閉された空間に光学素子が配置されるので、光学素子に塵、埃等の異物が混入、付着するのを抑制することができる。なお、メイン基板１２には、貫通孔１２２及び貫通孔１２３が形成されている。この貫通孔１２２は第１光源１を保持し、放熱を助けるためのヒートシンク１００が、貫通孔１２３は第２光源２を保持し、放熱を助けるためのヒートシンク２００が露出している。このように、メイン基板１２の貫通孔１２２、貫通孔１２３から、ヒートシンク１００、ヒートシンク２００が露出することで、第１光源１及び第２光源２からの熱を効果的に放熱する。
【００２３】
図４に示すように、光ピックアップＡは、第１の光源１、第１の１／２波長板１０１、第２光源２、第２の１／２波長板２０１、ハーフミラー２０２、偏向ビームスプリッタ３、１／４波長板４、コリメータレンズ５、第１立上げミラー６１、第２立上げミラー６２、第１対物レンズ６１、第２対物レンズ６２、センサレンズ８、受光素子ＰＤとを備えている。
【００２４】
第１光源１はＢＤの記録／再生用の青色レーザ光（波長約４０５ｎｍ）を出射するレーザダイオードである。第１光源１から出射したレーザ光は第１の１／２波長板１０１に入射する。第１の１／２波長板１０１は第１光源１から出射された光の偏光方向を変更する光学素子であり、光ディスクで反射された光を遮断し、第１光源１に照射されるのを抑制する効果を有している。
【００２５】
第１の１／２波長板１０１を通過したレーザ光は、偏光ビームスプリッタ３に入射する。偏光ビームスプリッタ３は第１の光源１から出射されたレーザ光、すなわち、青色レーザ光に対応した光学素子であり、青色レーザ光が入射すると、その入射光の偏光方向によって、反射又は通過する光学素子である。なお、偏光ビームスプリッタ３は、Ｐ偏光を反射しＳ偏光を通過する光学素子として説明する。第１の１／２波長板１０１を通過したレーザ光はＰ偏光のレーザ光であり、偏光ビームスプリッタ３の反射面で反射され、光路が曲げられる。青色レーザ光が偏光ビームスプリッタ３で反射されることで、青色レーザ光の進行方向がラジアル方向からタンジェンシャル方向に曲げられる。
【００２６】
一方、第２光源２はＤＶＤの記録／再生用の赤色レーザ光（波長約６５０ｎｍ）又はＣＤの記録／再生用の赤外レーザ光（波長約７８０ｎｍ）を選択して出射するレーザダイオードである。第２光源から２から出射された赤色レーザ光又は赤外レーザ光は第２の１／２波長板２０１に入射する。第２の１／２波長板２０１は第２光源２から出射された光の偏光方向を変更する光学素子であり、光ディスクで反射された光を遮断し、第２光源２に照射されるのを抑制する効果を有している。
【００２７】
第２の１／２波長板２０１を通過した赤色レーザ光又は赤外レーザ光はハーフミラー２０２に入射する。ハーフミラー２０２に入射した赤色レーザ光又は赤外レーザ光の光量の一部はハーフミラー２０２を通過し、残りの光量は反射され偏光ビームスプリッタ３に入射する。ハーフミラー２０２で反射された赤色レーザ光又は赤外レーザ光はその進行方向が、ラジアル方向からタンジェンシャル方向に曲げられる。上述したように、偏光ビームスプリッタ３は青色レーザ光用の光学素子であるので、赤色レーザ光、赤外レーザ光は入射した光量の全て（略全て）が通過する。なお、以下の説明において特に区別せずレーザ光と記述した場合、青色レーザ光、赤色レーザ光及び赤外レーザ光の全てを指すものとする。つまり、単にレーザ光と記載した場合、レーザ光の波長に関係なく光学素子で変換され、反射され、光学素子を通過するものとする。また、以下の説明において、光ディスクで反射されたレーザ光を戻りレーザ光という場合がある。
【００２８】
偏光ビームスプリッタ３から出射したレーザ光は１／４波長板４に入射する。１／４波長板４は入射した光の位相を１／４波長ずらす光学素子である。すなわち、１／４波長板４は通過した光が直線偏光の場合円偏光に、円偏光の場合直線偏光に変換する光学素子である。後ほど説明するが、光ディスク（不図示）の記録面に照射されるレーザ光は円偏光であり、１／４波長板４に戻ってきたレーザ光は直線偏光に変換される。このとき、戻ってきたレーザ光は偏光ビームスプリッタ３から１／４波長板４に入射したレーザ光と直交する直線偏光に変換されて１／４波長板４から出射する。
【００２９】
１／４波長板４を通過したレーザ光はコリメータレンズ５に入射する。コリメータレンズ５は発散光の収差を補正して平行光を得るためのレンズである。なお、青色レーザ光、赤色レーザ光及び赤外レーザ光の異なる波長の光を正確に平行光とするため、コリメータレンズ５は光軸方向に移動可能となっている。
【００３０】
コリメータレンズ５を通過したレーザ光は、第１立上げミラー６１に入射する。この第１立上げミラー６１は所定の波長帯に含まれる光を反射し、それ以外の波長帯の光を通過させるダイクロイックミラーである。第１立上げミラー６１は青色レーザ光を反射し、赤色レーザ光及び赤外レーザ光を通過する特性を有している。第１立上げミラー６１は青色レーザ光を光ディスク（ＢＤ）方向（立上り方向）に反射するものであり、第１立上げミラー６１で反射された青色レーザ光は第１対物レンズ７１に入射する。第１対物レンズ７１は、青色レーザ光を集光しＢＤの記録層にレーザスポットとして照射する集光レンズである。なお、第１対物レンズ７１の開口数は０．８５である。ＢＤの記録層で反射された青色レーザ光（戻り光）は、第１対物レンズ７１を通過することで、もとの平行光に戻り、第１立上げミラー６１で反射される。
【００３１】
一方で、レーザ光が赤色レーザ光又は赤外レーザ光の場合、第１立上げミラー６１が反射する波長帯から外れているので、光量の全て又は略全てが第１立上げミラー６１を通過する。第１立上げミラー６１を通過した赤色レーザ光又は赤外レーザ光は、第２立上げミラー６２に入射する。第２立上げミラー６２は全反射タイプのミラーであり、赤色レーザ光又は赤外レーザ光は第２立上げミラー６２で光ディスク（ＤＶＤ又はＣＤ）方向（立上り方向）に反射され、第２対物レンズ７２に入射する。
【００３２】
第２対物レンズ７２は、入射した赤色レーザ光又は赤外レーザ光を集光し、それぞれに対応する光ディスク（ＤＶＤ又はＣＤ）の記録層にレーザスポットとして照射する集光レンズである。なお、第２対物レンズ７２の開口数は０．６である。ＤＶＤ又はＣＤで反射された赤色レーザ光又は赤外レーザ光（戻り光）は、第２対物レンズ７２を通過することで、もとの平行光に戻り、第２立上げミラー６２で反射され第１立上げミラー６１に入射される。上述したとおり、第１立上げミラー６１は青色レーザ光以外の光を反射せず通過させるので、赤色レーザ光及び赤外レーザ光は第１立上げミラー６１を通過する。
【００３３】
第１立上げミラー６１で反射された青色レーザ光及び第１立上げミラー６１を通過した赤色レーザ光、赤外レーザ光は、往路と同じ（略同じ）光路を通ってコリメータレンズ５に入射する。コリメータレンズ５に入射したレーザ光は平行光から収束光に変換され、１／４波長板４に入射する。
【００３４】
１／４波長板４に入射したレーザ光は、円偏光であり１／４波長板４を通過するとき、直線偏光に変換される。なお、この直線偏光は、第１光源１を出射し、１／２波長板１０２を通過した青色レーザ光（Ｐ偏光）と直交する偏光方向のＳ偏光の光となっている。１／４波長板４を通過したレーザ光は偏光ビームスプリッタ３に入射する。偏光ビームスプリッタ３は青色レーザ光に対応した光学素子であり、青色レーザ光のＰ偏光は反射し、Ｓ偏光は通過する。１／４波長板４を通過した青色レーザ光はＳ偏光であるので、１／４波長板４を通過したレーザ光は偏光ビームスプリッタ３を通過する。なお、偏光ビームスプリッタ３でレーザ光の一部が反射され第１光源１に向かう場合があるが、この場合も、Ｐ偏光を出射する１／２波長板１０１で遮られ、第１光源１には到達しない。また、赤色レーザ光及び赤外レーザ光は偏光ビームスプリッタ３を通過する。
【００３５】
偏光ビームスプリッタ３を通過した光は、ハーフミラー２０２に入射する。ハーフミラー２０２でレーザ光の一部は反射され、残りは通過する。ハーフミラー２０２で反射されたレーザ光は、第２光源２の方向に向かうがそのレーザ光はＳ偏光であるので、１／２波長板２０１で遮られ第２光源２には到達しない。そして、ハーフミラー２０２を通過した光は、センサレンズ８を通過し、受光素子ＰＤに入射する。受光素子ＰＤでレーザ光を受光することでトラッキングエラー信号、フォーカスエラー信号、ディスクメディアに記録されている情報信号を得る。
【００３６】
なお、センサレンズ８はフォーカスエラー信号を生成するために配置される光学素子であり、一軸方向にレーザ光を集光するシリンドリカルレンズを含むレンズ体を備えている。センサレンズ８には、ホログラムも形成されており、光ディスクで反射されハーフミラー２０２を通過した戻りレーザ光を分光している。受光素子ＰＤは分光された戻りレーザ光を受光できる構成となっており、従来良く知られている方法でトラッキングエラー信号を検出する。
【００３７】
本発明にかかる光ピックアップのセンサレンズの詳細について、図面を参照して説明する。図５はセンサレンズを受光素子側から見た図あり、図６はシャーシのセンサレンズ取付部をセンサレンズとともに切断したときの拡大断面図でである。図３に示すように、センサレンズ８はシャーシ１１のセンサレンズ取付部１１４に位置決めされて固定されている。
【００３８】
図５、図６に示すように、センサレンズ８は直方体形状のベース部８０１と、ベース部８０１の一方の基準面８００の中央部より突出した凸部８０２とを備えている。ベース部８０１と凸部８０２とは一体で形成されており、凸部８０２と基準面８００とは直交する構成となっている。そして、センサレンズ８はベース部８０１と凸部８０２との間に連続して形成されている円柱状の光路孔８０３を備えている。光路孔８０３は中心軸がベース８０１の一方の面と直交するように形成されている。そして、光路孔８０３の凸部８０２側の内部には、光路孔８０３を塞ぐように形成されたレンズ体８１を備えている。
【００３９】
レンズ体８１は凸部８０２と一体に形成された透明な部材である。レンズ体８１は、ベース部８０１側に形成されたシリンドリカルレンズ部８１１と、シリンドリカルレンズ部８１１と反対側に形成されたホログラム部８１２とを備えている。シリンドリカルレンズ部８１１とホログラム部８１２とは一体に形成されている。シリンドリカルレンズ部８１１は、戻りレーザ光を一軸方向に集光するものであり、ベース部８０１側の面側一方向に湾曲した曲面を有したレンズ構造である。ホログラム部８１２は、レンズ体８１のシリンドリカルレンズ部８１１と反対側の面に形成された微少な凹凸溝を含むホログラムを備えている。戻りレーザ光はホログラム部８１２を通過するとき、３つのビームに分光される。
【００４０】
なお、図６に示すレンズ体８１では、ホログラム部８１２は平板状の面にホログラムを形成した構成となっているが、これに限定されず、シリンドリカルレンズ部８１１の反対側の面が曲面状に形成されており、その曲面状の面にホログラムが形成された構成であってもよい。また、ホログラム部８１２の形状（溝のパターン、深さ等）は従来知られているものを採用することもできるし、新たに、レンズ体８１に最適化されたものであってもよい。
【００４１】
レンズ体８１において、シリンドリカルレンズ部８１１とホログラム部８１２とが一体で形成されているので、シリンドリカルレンズ部８１１とホログラム部８１２との位置決め作業が不要である。そのため、シリンドリカルレンズ部８１１を戻りレーザ光に対して精度良く位置決めすることで、ホログラム部８１２も戻りレーザ光に対して精度良く位置決めすることができる。
【００４２】
また、センサレンズ８では、レンズ体８１と凸部８０２とが一体に形成されており、さらに凸部８０２とベース部８０１とが一体に形成されている。このことから、センサレンズ８をセンサレンズ取付部１１４に精度良く位置決めし、固定することで、戻りレーザ光の光路上に精度良くレンズ体８１を配置することができる。すなわち、センサレンズ８をセンサレンズ取付部１１４に精度良く位置決め固定することで、シリンドリカルレンズ部８１１及びホログラム部８１２を戻りレーザ光の光路上に精度良く一義配置することができる。なお、センサレンズ８及びセンサレンズ取付部１１４は、ベース部８０１をセンサレンズ取付部１１４に簡単に精度良く位置決め固定するための構造を備えている。
【００４３】
以下、センサレンズ８及びセンサレンズ取付部１１４の位置決め構造について説明する。図３、図６に示しているように、センサレンズ８は、光路孔８０３の中心軸がタンジェンシャル方向に沿うように、また、ベース部８０１の長手方向がラジアル方向と沿うように、センサレンズ取付部１１４に取り付け固定される。
【００４４】
図５、図６に示しているように、ベース部８０１は中心軸が光路孔８０３の中心軸と平行となるように形成された貫通孔である２つのピン孔８０４、８０５を備えている。２つのピン孔８０４、８０５は光路孔８０３を挟んで反対側に形成されている。なお、図５、図６に示しているように、ピン孔８０４はベース部８０１の長手方向に長い長孔形状で形成されている。ピン孔８０４が長孔で形成されていることで、後述のピン係合部１１７の位置がずれている場合であっても、ピン孔８０４及びピン孔８０５にピンＰｎを確実に挿入することができる構成となっている。
【００４５】
図３、図６に示しているように、センサレンズ取付部１１４は、ベース部８０１の凸部側の基準面８００が当接される押え面１１５と、戻りレーザ光が通過し、凸部８０２が挿入される溝部１１６と、押え面１１５に形成されピン孔８０４、８０５を貫通したピンＰｎの先端が係合されるピン係合部１１７とを備えている。
【００４６】
図５、図６に示しているように、押え面１１５はラジアル方向に伸びる長方形状の面であり、中間部分の一部が溝部１１６に分断された形状を有している。押え面１１５は戻りレーザ光の光軸と直交する面であり、ベース部８０１の基準面８００が当接される。なお、押え面１１５は、ラジアル方向、ディスク方向いずれの方向にも基準面８００より長い。また、図６に示すように、溝部１１６はハーフミラー２０２を通過した戻りレーザ光が通過する光路であり、タンジェンシャル方向に伸びる凹溝である。基準面８００が押え面１１５と当接したとき、溝部１１６には凸部８０２が挿入される。なお、溝部１１６のディスク方向の幅及びラジアル方向の幅は、凸部８０２のそれよりも大きい。そして、図５に示しているように、ピン係合部１１７はディスク方向に伸びる凹溝である。
【００４７】
このように、押え面１１５及び溝部１１６のディスク方向及びラジアル方向の長さが、ぞれぞれ、基準面８００及び凸部８０２のディスク方向及びラジアル方向の長さよりも長いので、凸部８０２を溝部１１６に挿入し、基準面８００を押え面１１５に当接させた後に、センサレンズ８をディスク方向及びラジアル方向に移動させることが可能である。また、ピン孔８０４が長孔で形成されているとともにピン係合部１１７がディスク方向に伸びる凹溝であることから、センサレンズ８をディスク方向及び（又は）ラジアル方向に移動（位置決め）した後にピンＰｎによる固定が可能である。なお、ピンＰｎとしては、図示している、針状のピンの端部にフランジ状の頭がついているものや、２本の針状部材が一定の間隔となるように一体化したもの等、センサレンズ８を通過した戻りレーザ光の受光素子ＰＤへの入射を邪魔しない構成のものを広く採用することが可能である。
【００４８】
このように、センサレンズ８のレンズ体８１にシリンドリカルレンズ部８１１及びホログラム部８１２が一体に形成されているので、センサレンズ８をシャーシ１１に対して位置決めするだけで、シリンドリカルレンズ部８１１及びホログラム部８１２を戻りレーザ光に対して精度良く位置決めを行うことが可能である。また、シリンドリカルレンズ部８１１及びホログラム部８１２を保持する保持部材や位置決めするための構造体が不要であり、それだけ、部品点数を減らし、軽量化、低コスト化を行うことが可能である。さらに、シリンドリカルレンズ部８１１及びホログラム部８１２の固定、位置決めの工程が不要であるので、製造にかかる手間及び時間を減らすことができ、この点からも低コスト化が可能である。
【００４９】
なお、上述の実施形態において、センサレンズ８は直方体形状のベース部８０１と、ベース部８０１から突出する直方体形状の凸部８０２とを備える構成であるが、これに限定されるものではなく、多角形柱状、円柱状、楕円柱状のベース部８０１と凸部８０２を組み合わせる構成のものであってもよい。特に、円柱状或いは楕円柱状の形状を有する場合、センサレンズの位置決めをするときに、ディスク方向及びラジアル方向の移動に加えて、中心軸周りの回転方向にも調整が可能となり、レンズ体と受光素子との角度ずれの修正も可能である。さらに、センサレンズ８はベース部８０１とベース部８０１より小型の凸部８０２を連結した形状を有しているが、これに限定されるものではなく、ベース部のみで形成される構成であってもよい。この場合、光路孔の軸方向の長さがセンサレンズ８の光路孔８０３と同じ長さとなるように、ベース部の軸方向長さを調整されていてもよい。
【００５０】
なお、上述の実施形態において、センサレンズ８では、レンズ体８１にシリンドリカルレンズ部８１１とホログラム部８１２とが一体的に形成されているものが挙げられているが、これに限定されるものではない。例えば、レンズ体のシリンドリカルレンズ部とホログラム部とが別体であり、ともに光路孔８０３に固定される構成としてもよい。また、この構成は一例であり、シリンドリカルレンズ部とホログラム部との位置関係が固定されている構成を広く採用することが可能である。このように、シリンドリカルレンズ部とホログラム部との位置関係が固定であるので、センサレンズ８をシャーシ１１に対して位置決め固定するだけで、シリンドリカルレンズ部及びホログラム部を戻りレーザ光に対して精度良く位置決めを行うことが可能である。
【００５１】
さらに、上述の実施形態では、ホログラムがセンサレンズ８に形成されているものとしているが、これに限定されるものではなく、たとえば、ハーフミラー２０２の第２の光源２から出射されたレーザ光が反射される面と反対側の面にホログラムを形成するようにしてもよい。この構成によると、ハーフミラー２０２を位置決めすることで、ホログラムを戻りレーザ光に対して精度良く位置決めすることが可能である。また、これらに限定されるものではなく、戻りレーザ光のみが通過する光路内に配置される光学素子の一部の戻りレーザ光が通過する部分にホログラムが形成されているものを広く採用することができる。このようにホログラムを構成することで、光学素子を位置決めすることでホログラムを戻りレーザ光に対して精度良く位置決めすることができる。
【００５２】
なお、上述の実施例において、光ピックアップＡは２つの対物レンズが、タンジェンシャル方向に並んだ構成のものについて説明しているが、これに限定されるものではなく、ＣＤ／ＤＶＤ用の対物レンズ又はＢＤ用の対物レンズのいずれか一方を備えた構成のものであってもよく、２つの対物レンズがラジアル方向に並んだ構成のものに採用することも可能である。１つの対物レンズを備えた光ピックアップや、２つの対物レンズがラジアル方向に並んだ構成の光ピックアップの場合、３ビームを用いるＤＰＰ法でトラッキングエラー信号を得ることが可能であるが、光ディスクに照射するレーザ光が１ビームとなる本発明の構成を用いることで、光源の定格を抑えることが可能である。また、光源の定格を抑えること、光ピックアップの発熱量を減らすことができる。さらに、光学素子の耐光性に対する影響も小さく押えることが可能である。
【産業上の利用可能性】
【００５３】
本発明は、光ディスク装置に備えられた光ピックアップに利用することが可能である。
【符号の説明】
【００５４】
１  第１光源
１００  ヒートシンク
１０１  第１の１／２波長板
２  第２光源
２００  ヒートシンク
２０１  第２の１／２波長板
２０２  ハーフミラー
３  偏光ビームスプリッタ
４  １／４波長板
５  コリメータレンズ
６１  第１立上げミラー
６２  第２立上げミラー
７１  第１対物レンズ
７２  第２対物レンズ
８  センサレンズ
８０１  ベース部
８０２  凸部
８０３  光路孔
８０４  ピン孔
８０５  ピン孔
８１  レンズ体
８１１  シリンドリカルレンズ
８１２  ホログラム
ＰＤ  受光素子
１１  シャーシ
１１１  ねじ穴
１１２  軸貫通孔
１１３  軸係合部
１１４  センサレンズ取付部
１１５  押え面
１１６  溝部
１１７  ピン係合部
１２  メイン基板
１２１  貫通孔
１２２  貫通孔
１２３  貫通孔
Ｓｃ  ソケット
【図１】
2012113791.tif 000003
【図２】
2012113791.tif 000004
【図３】
2012113791.tif 000005
【図４】
2012113791.tif 000006
【図５】
2012113791.tif 000007
【図６】
2012113791.tif 000008